(57)【要約】【課題】軽快な巻き取り操作が行なえると共に、ピックアップピンが磨耗することのないクローズドフェースリールを提供することを目的とする。【解決手段】本発明は、ハンドル回転で連動回転するロータ３０に、釣糸をスプール３に案内するピックアップピン３５が出没可能に装着され、リール本体２に設けた操作部材４３の操作でピックアップピン３５の先端部を、ロータ３０の外周面より径方向外方に突出する釣糸巻き取り位置からロータ外周面から突出しない釣糸放出位置に切換え可能としたクローズドフェースリールにおいて、釣糸巻き取り位置にある時にピックアップピン３５の基端部を、リール本体に設けられている復帰用カム部を有するカム部材２５の外周に接触しないように離間保持したことを特徴とする。【選択図】    図１
2005095088.tif 000002
【特許請求の範囲】
【請求項１】
ハンドル回転で連動回転する回転軸の先端部に取り付けられたロータに、釣糸をスプールに案内するピックアップピンが前記回転軸に直交する方向に移動可能に装着され、リール本体に設けた操作部材の操作で前記ピックアップピンの先端部を、前記ロータの外周面より径方向外方に突出する釣糸巻き取り位置からロータ外周面から突出しない釣糸放出位置に切換え可能としたクローズドフェースリールにおいて、
前記釣糸巻き取り位置にある時に前記ピックアップピンの基端部を、リール本体に設けられている復帰用カム部を有する復帰体の外周に接触しないように離間保持したことを特徴とするクローズドフェースリール。
【発明の詳細な説明】
【技術分野】
【０００１】
本発明は、ハンドル回転で連動回転するロータの外周に、釣糸をスプールに案内するピックアップピンを出没自在に設けると共に、前記スプール及びロータを覆うカバーを備えたクローズドフェースリールに関する。
【背景技術】
【０００２】
一般的に、上記したタイプのクローズドフェースリールは、例えば、特許文献１及び特許文献２に開示されているように、リール本体の後部に設けたプッシュボタンの押込み操作や、脚部に設けたレバーの引き上げ操作等によって、先端部にロータが固定された回転軸を前方側にシフトさせるように構成されている。このように、回転軸が上記した操作によって前方側にシフトされると、ロータの外周にバネ力に抗して径方向外方に突出するように装着されたピックアップピンの突出規制状態が解除されて、バネ力によってピックアップピンがロータ内側に入り込む状態（クラッチＯＦＦ状態）に移行され、釣糸が放出可能となる。
【特許文献１】実公昭５９−２００５８号公報
【特許文献２】実公平４−２５９７２号公報
【発明の開示】
【発明が解決しようとする課題】
【０００３】
上記したピックアップピンは、バネ力に抗してロータの外周よりその先端部が径方向外方に突出するようにロータに装着されると共に、その基端部は、回転軸が回転且つ軸方向移動可能に嵌挿されるリール本体に固定された支持筒の端部外周面にバネ力で圧接された状態でロータとともに摩擦摺動回転するので、その摩擦抵抗の影響を受けて巻取り操作が重くなるという問題がある。
【０００４】
また、圧接状態でピックアップピンが支持筒の端部外周面回りを摺動するのでピックアップピンが摩耗し易く、その結果、ロータ外周からの突出量が少なくなって、巻取り操作時に釣糸を確実にピックアップできなくなる不具合が発生する。
【０００５】
さらに、プッシュボタンやレバーの操作等で、ピックアップピンがロータと共に前方に移動したときに、支持筒端部外周面から離間したピックアップピンをバネ力によってロータ内側に引き込ませる構成のため、釣糸によってピックアップピンに負荷が掛かっている場合には、プッシュボタンやレバーを操作してもピックアップピンが引っ込まない現象が生じることがあり、釣糸が放出できなくなるという問題が生じる。
【０００６】
本発明は、このような問題に着目してなされたものであり、軽快な巻き取り操作が行なえると共に、ピックアップピンが磨耗することのないクローズドフェースリールを提供することを目的とする。
【課題を解決するための手段】
【０００７】
上記した課題を解決するために、本発明に係るクローズドフェースリールは、ハンドル回転で連動回転する回転軸の先端部に取り付けられたロータに、釣糸をスプールに案内するピックアップピンが前記回転軸に直交する方向に移動可能に装着され、リール本体に設けた操作部材の操作で前記ピックアップピンの先端部を、前記ロータの外周面より径方向外方に突出する釣糸巻き取り位置からロータ外周面から突出しない釣糸放出位置に切換え可能とした構成において、前記釣糸巻き取り位置にある時に前記ピックアップピンの基端部を、リール本体に設けられている復帰用カム部を有する復帰体の外周に接触しないように離間保持したことを特徴とする。
【０００８】
上記した構成では、釣糸を巻き取る際にハンドルを回転操作すると、ロータと共にピックアップピンも回転する。この場合、ピックアップピンは、その基端部が、復帰体の外周に接触することなく離間保持されていることから、摩擦抵抗を受けることがなくなり、ハンドルを軽快に操作することが可能になる。また、ピックアップピンが、摩擦によって磨耗することがないので、ロータ外周面からの突出量が一定に保たれ、釣糸のピックアップ不良が防止される。
【発明の効果】
【０００９】
本発明によれば、ハンドル巻き取り操作時に、ピックアップピンに摩擦抵抗が加わることがなくなるため、ハンドルの軽快な巻き取り操作が行なえると共に、ピックアップピンが磨耗することのないクローズドフェースリールが得られる。
【発明を実施するための最良の形態】
【００１０】
図１〜図６は、本発明に係るクローズドフェースリールの第１の実施形態を示す図であり、図１は、内部構成を示す図、図２は、主要部を拡大して示す図、図３は、図２のＡ−Ａ線に沿った断面図、図４は、図３をＢ方向から見た図、図５は、図３のＣ−Ｃ線に沿った断面図、そして、図６は、図３のＤ−Ｄ線に沿った断面図である。
【００１１】
クローズドフェースリール１のリール本体２には、先端に前後方向に延出する釣竿装着部２ｂを具備した脚部２ａが一体的に形成されている。また、リール本体２には、前方に向けて突出するスプール支持筒２ｃが形成されており、その外周側には、釣糸が巻回されるスプール３が回転可能に支持されている。なお、スプール支持筒２ｃの外周には、雄ネジ部２ｄが形成されており、ここに螺合される抜け止め部材５によってスプール３は抜け止めされている。また、この雄ネジ部２ｄの外周には、制動装置７が配設されており、釣糸が繰り出された際にスプール３に対して所定の制動力を付与するようになっている。
【００１２】
前記リール本体２内には、回転操作されるハンドル（図示せず）を装着したハンドル軸１０が回転可能に支持されており、そこにはフェースギヤ１１が取り付けられている。また、リール本体２内には、一対の軸受１３を介して前記ハンドル軸と直交する方向に延出する筒軸１５が回転可能に支持されており、この筒軸の基端側には、前記フェースギヤ１１と噛合するようにピニオン１５ａが形成されている。
【００１３】
前記筒軸１５とリール本体２との間には、前記一対の軸受間において、筒軸１５を一方向のみに回転可能とするように一方向クラッチ１７が設けられている。また、リール本体２には、筒軸１５内に挿通するように、摺動軸２０が軸方向に移動可能で、かつ回転不能となるように設けられており、その後端部には、クラッチ付勢バネ２２が配設されて、摺動軸２０を、常時、後方側に向けて付勢している。
【００１４】
この摺動軸２０の前方側には、後述するピックアップピンを釣糸巻き取り位置に復帰させる役目を果たすカム部材（復帰体）２５が固定されている。このカム部材２５は、略円錐台形状に形成されており、リール本体側となる裏面２５ａには、後述するピックアップピンを、径方向外側に向けて移動案内するカム部２５ｂが形成されている。なお、この実施形態におけるカム部材２５は、その前方側となる表面２５ｃにおいて、釣糸放出操作時に、後述するカバー部材の内面との間で釣糸Ｓを挟持するように構成されている。また、裏面２５ａの中央領域には、凹所２５ｄが形成されており、釣糸巻取り操作時において、以下に述べるロータ固定用のナットが位置するように構成されている。
【００１５】
前記筒軸１５の先端側には、スプール側に開口する蓋状に形成されたロータ３０が、ナット３１によって筒軸１５と一体回転且つ軸方向に移動不能となるように取り付けられており、ハンドルを回転操作することで、前記フェースギヤ１１及びピニオン１５ａを介して、その円周壁３０ａがスプール３の周りを回転するようになっている。なお、ロータ３０の中央領域には、凹所３０ｃが形成されており、釣糸巻取り操作時に、この凹所内に前記カム部材２５が位置するように構成されている。
【００１６】
前記ロータ３０の円周壁３０ａには、その表面から出没自在となるように、ピックアップピン３５が配設されている。  
本実施形態におけるピックアップピン３５は、ロータ内に位置すると共に、前記カム部材２５のカム部２５ｂに係合可能な本体部３５ａと、円周壁３０ａに形成された孔３０ｄ内に位置し、釣糸をピックアップするピン３５ｂとによって構成されており、本体部３５ａには径方向に延出する長孔３５ｃが形成されている。そして、この長孔３５ｃには、ロータ３０の前面壁３０ｂに螺入される支持ネジ３６が配設されており、これにより、ピックアップピン３５は、径方向（筒軸１５と直交する方向）に移動可能となるようにロータ３０に支持されている。
【００１７】
前記本体部３５ａの両側には、前記凹所３０ｃを規定する壁部３０ｅを囲繞するようにリング形状のプレート３７が配置されており、本体部３５ａは、その両側において、プレート３７に形成された保持部３７ａによって挟着保持されている（図５参照）。前記プレート３７は、ピックアップピン３５が保持される位置から両側略９０°の位置で、振り分けバネ３８によって、回転軸に対して直交する方向（前記長孔３５ｃ方向）に移動可能となるように支持されている。すなわち、図３及び図６に示すように、ロータ３０の前面壁３０ｂの両サイドに形成された厚肉部３０ｆに、それぞれ一端が固定され、各他端が前記プレート３７に固定された振り分けバネによって、プレート３７は、回転軸に対して直交する方向で２つの位置で振り分け保持されるようになっている。この場合、振り分け保持される位置は、振り分けバネのデッドポイントを境にして、ピックアップピン３５の本体部３５ａにおけるピン３５ｂとは他端側の端面３５ｄが前記カム部材２５の外周面２５ｄから所定間隔Ｚをおいて離間する位置（図３参照）と、係合可能な位置（後述する図９（ｂ）参照）に設定される。
【００１８】
なお、本体部３５ａが前記カム部２５ｂから所定間隔をおいて離間保持される位置では、ピン３５ｂは、ロータの円周壁から突出した状態にあり、カム部２５ｂと係合可能に保持されている位置では、ピン３５ｂは、ロータの円周壁の内部に没した状態にある。
【００１９】
また、前記プレート３７の下端位置には、前方側かつロータの径方向内方へ向けて延設された傾斜舌片３７ｂが形成されており、この傾斜舌片３７ｂは、前記壁部３０ｅの下端領域に形成された切欠き３０ｇを介して前方側に露出しており、前記カム部材２５が前方に向けて移動された際、その表面２５ｃと面接触して、その傾斜関係により、プレート３７を下方に押し下げる役目を有している。
【００２０】
前記リール本体２の前方側には、スプール３及びロータ３０を覆うと共に、前方において釣糸Ｓを導出するための釣糸挿通孔４０ａが形成されたカバー部材４０が着脱可能に配設されている。この場合、スプール３に巻回された釣糸Ｓは、ロータ３０の円周壁３０ａとカバー部材４０の内面との間の隙間を通って釣糸挿通孔４０ａから導出される。
【００２１】
前記リール本体２に形成された脚部２ａの基部には、支軸４２を介してクラッチ操作レバー（以下、操作部材）４３が回動可能に軸支されている。この操作部材４３の一端側はリール本体の支軸部分から前方に向けて延出しており、その端部に釣竿を握持した状態で操作可能な操作部４３ａが形成されている。また、操作部材４３の他端側は、支軸部分からリール本体内に延出しており、その端部に上記した摺動軸２０の後端に当て付く作動部４３ｂが形成されている。なお、支軸部分には、リール本体２との間で付勢バネ４５が保持されており、操作部材４３は、図１の反時計回り方向に常時付勢されている。
【００２２】
以上のように構成されたクローズドフェースリールの作用効果を、図１、及び図７〜図９を参照して説明する。  
図１は、釣糸巻き取り可能状態であり、釣糸Ｓは、ピックアップピン３５のピン３５ｂに係止され、ロータ３０が回転駆動されることによって、スプール３に巻回される。このとき、ピックアップピン３５の本体部３５ａの端面３５ｄは、振り分けバネ３８によるプレート３７の振り分け保持によってカム部材２５の外周面２５ｄから所定の間隔Ｚをおいて離間した状態にあり、ピン３５ｂは、ロータ３０の円周壁３０ａの表面から突出している（図９（ａ）参照）。
【００２３】
この状態から、操作部材４３の操作部４３ａを上方に回動操作すると、作動部４３ｂが付勢バネ４５の付勢力に抗して時計回り方向に回動され、摺動軸２０を付勢バネ２２の付勢力に抗してスプール側に移動させる。これに伴い、カム部材２５も一体的に移動され、その表面２５ｃがプレート３７の傾斜舌片３７ｂと面接触するようになり、その傾斜関係により、プレート３７を下方に押し下げる。このプレート３７の押し下げ作用によって、振り分けバネ３８のデッドポイントを超え、ロータ３０の円周壁３０ａから突出した状態にあるピン３５ｂは、ロータ３０の内部に沈み込む（図７参照）。
【００２４】
上述したように、カム部材２５は釣糸挟持機能を備えていることから、釣糸Ｓは、カム部材の表面２５ｃとカバー部材４０の内面との間で挟持された状態で、釣糸挿通孔４０ａから導出される。
【００２５】
この状態で、釣竿をキャスティングしながら操作部材４３の操作部４３ａから指を離すと、釣糸の挟持状態が解消されて、仕掛けが放出される。このとき、摺動軸２０は、付勢バネ２２の付勢力によって、図８に示す状態に移動されており、カム部材２５は、そのカム部２５ｂがピックアップピンの本体部３５ａに対してカム作用を与えることが可能な位置状態となっている（図９（ｂ）参照）。
【００２６】
そして、ハンドルを巻き取り操作すると、ロータ３０は、図９（ｂ）において時計回り方向に回転駆動されることから、ピン３５ｂは、本体部３５ａの下端とカム部２５ｂのカム作用によって、プレート３７と共に押し上げられる。そして、さらにカム作用によって押し上げられると、振り分けバネ３８のデッドポイントを超え（図９（ｃ）参照）、ロータ３０の円周壁３０ａから突出して釣糸Ｓをピックアップできる状態に保持される（図１，図９（ａ）参照）。このとき、ピックアップピン３５の本体部３５ａの端面３５ｄは、振り分けバネ３８によるプレート３７の振り分け保持によってカム部材２５の外周面２５ｄから所定の間隔Ｚをおいて離間した状態にある。そして、更にハンドルを巻き取り操作することで、釣糸は、ロータ３０のピン３５ｂに案内されながらスプール３に巻回されて行く。
【００２７】
上記した構成によれば、釣糸巻き取り操作時におけるロータ回転時において、ピックアップピン３５の本体部３５ａがカム部材に摩擦接触しないで回転可能であるため、ハンドル巻き取り操作時に、ピックアップピンに摩擦抵抗が加わることがなくなり、ハンドルの軽快な巻き取り操作が行なえると共に、ピックアップピンが磨耗することがなくなる。また、ピックアップピンの、ロータ３０の外周面より径方向外方に突出する釣糸巻き取り位置から、突出しない釣糸放出位置への切り換えを、リール本体に設けた操作部材４３の操作に連動させて、ピックアップピン３５を装着したプレート３７を回転軸に直交する方向に移動させて機械的に行なうようにしたので、釣糸によってピックアップピンに負荷が掛かっている場合においても、確実にロータ外周面からピックアップピンを引っ込めることができ、釣糸が放出できなくなる問題が回避できる。
【００２８】
本発明は、釣糸の巻き取り操作時において、ピックアップピンがリール本体の対向部材（上記した実施形態では、カム作用を有する復帰体）に接触しないように保持されるものであれば良く、リールの全体構成や、その離間保持の構成については、適宜変形することが可能である。以下、本発明の別の実施形態について説明する。なお、以下に説明する実施形態では、前記した実施形態と同様な機能を有する部分については、同一の参照符号を付し、その詳細な説明については省略する。
【００２９】
図１０〜図１３は、本発明の第２の実施形態を示す図である。上記した実施形態では、ロータ内に没したピックアップピン３５を、ハンドルの回転操作によるロータの回転と、カム部材２５のカム部２５ｂのカム作用によって復帰させていたが、このような復帰操作は、操作部材４３の操作によって行なうことが可能である。
【００３０】
図１０に示すように、カム部材２５には、上記したようなカム部は形成されておらず、その代わりに、リール本体側に向かって下方に傾斜する傾斜案内面（カム面）２５ｅが形成されている。この傾斜案内面２５ｅは、カム部材２５が付勢バネ２２の付勢力によって後方に移動された際、その移動途中でロータ内に没した状態にあるピックアップピン３５の本体部３５ａと係合可能であり、さらに強制的に摺動軸２０を後方に移動させることで、その傾斜案内面２５ｅにより、本体部３５ａを上方に押し上げできるように構成されている。なお、ピックアップピン３５は、上記した第１実施形態と同様（図９参照）、リング状のプレート、及び振り分けバネによって振り分け保持されている。
【００３１】
また、前記操作部材４３のリール本体内の端部側には、摺動軸２０に突設されたピン部材２０ａに嵌る切欠き溝４３ｃが形成されており、操作部材４３の回動操作（引き上げ操作／押し下げ操作）は、直接、摺動軸２０に作用するようになっている。
【００３２】
上記した構成のクローズドフェースリールの作用効果について説明する。  
図１０は、釣糸巻き取り可能状態であり、釣糸Ｓは、ピックアップピン３５のピン３５ｂに係止され、ロータ３０が回転駆動されることによって、スプール３に巻回される状態となっている。このとき、ピックアップピン３５の本体部３５ａの端面３５ｄは、第１実施形態と同様、振り分けバネによるプレートの振り分け保持によってカム部材２５の外周面２５ｄから所定の間隔Ｚをおいて離間した状態にあり、ピン３５ｂは、ロータ３０の円周壁３０ａの表面から突出している。
【００３３】
この状態から、操作部材４３の操作部４３ａを引き上げて回動操作すると、操作部材４３は、付勢バネ４５の付勢力に抗して時計回り方向に回動され、摺動軸２０を付勢バネ２２の付勢力に抗してスプール側に移動させる。これに伴い、カム部材２５も一体的に移動され、その表面２５ｃがプレートの傾斜舌片３７ｂと面接触するようになり、その傾斜関係により、第１実施形態と同様、プレートを下方に押し下げる。このプレートの押し下げ作用によって、振り分けバネのデッドポイントを超え、ロータ３０の円周壁３０ａから突出した状態にあるピン３５ｂは、ロータ３０の内部に沈み込む（図１１参照）。
【００３４】
なお、カム部材２５は釣糸挟持機能を備えていることから、釣糸Ｓは、カム部材の表面２５ｃとカバー部材４０の内面との間で挟持された状態で、釣糸挿通孔４０ａから導出される。
【００３５】
この状態で、釣竿をキャスティングしながら操作部材４３の操作部４３ａから指を離すと、釣糸の挟持状態が解消されて、仕掛けが放出される。このとき、摺動軸２０及び操作部材４３は、付勢バネ２２，４５の付勢力によって、図１２に示す状態に戻されており、カム部材２５は、その傾斜案内面２５ｅがピックアップピンの本体部３５ａに当て付いてカム作用（押し上げ作用）を与えることが可能な状態となっている。
【００３６】
そして、この状態で、操作部材４３の操作部４３ａを押し下げ操作すると、摺動軸２０は、リール本体側に移動され、本体部３５ａは、傾斜案内面２５ｅのカム作用によって、プレートと共に押し上げられる。そして、さらにカム作用によって押し上げられると、振り分けバネのデッドポイントを超え、図１０に示す状態に戻される。このとき、ピックアップピンは、ロータ３０の円周壁３０ａから突出して釣糸Ｓをピックアップできる状態に保持されると共に、本体部３５ａの端部３５ｄは、振り分けバネによるプレートの振り分け保持によって、カム部材２５の外周面２５ｄから所定の間隔Ｚをおいて離間した状態にある。
【００３７】
このように、ロータ内に没したピックアップピン３５を操作部材４３によって復帰させることも可能であり、このような構成においても、上記した実施形態と同様な効果が得られる。
【００３８】
図１４〜図１８は、本発明の第３の実施形態を示す図である。上記した実施形態では、ピックアップピン３５を、リング状のプレートに支持し、これを振り分けバネ３８によって振り分け保持することで、ピックアップピンをリール本体の対向部材から離間保持するようにしていたが、このような振り分けバネではなく、単なる一方向バネ（通常の伸縮バネ）を用いても、同様な作用効果が得られるように構成することが可能である。
【００３９】
具体的には、本実施形態のピックアップピン３５は、図１８に示すように、同様な構成のリング状のプレート３７の上端部に保持されている。この場合、プレート３７は、ロータ３０の前面壁３０ｂの両サイドに形成された厚肉部３０ｆに、それぞれ一端が固定され、各他端が前記プレート３７に固定された一方向バネ４８によって、回転軸に対して直交する方向で、ピックアップピン３５を常時、ロータ３０の外周面から突出させるように付勢している。
【００４０】
また、リング状のプレート３７に一体形成された傾斜舌片３７ｂの先端部には、水平方向に折り曲げられた押し下げ面３７ｃが形成されており、この押し下げ面３７ｃが摺動軸２０と共に前方に移動されたカム部材２５の外周面２５ｆに乗り上がるように構成されている。なお、カム部材２５に押し下げ面３７ｃが乗り上がる際、プレート３７は、カム部材２５の表面２５ｃと面接触して前記一方向バネ４８の付勢力に抗して下方に押し下げられ、この状態でピックアップピン３５は、図１５に示すように、ロータ内に没した状態となる。
【００４１】
また、前記リール本体２には、操作部材４３の基端部と協働する当て付け機構５０が設けられている。この当て付け機構５０は、操作部材４３を引き上げ操作、及び押し下げ操作した際に駆動されるようになっており、操作部材４３を放した際にクラッチＯＦＦ状態を維持する機能を有する。以下、この当て付け機構５０の構成について説明する。  
当て付け機構５０は、屈曲されたＬ字状の回動部材５１を備えており、その中心部で支軸５１ａによって回動可能に支持され、一方の片５２及び他方の片５３が夫々当て付け部、回動操作部として交互に機能するべく構成されている。一方の片５２には、操作部材４３の後端面４３ｄが当接され、他方の片５３には、操作部材４３の係合部４３ｅが係合可能となっている。なお、操作部材４３の後端面４３ｄと係合部４３ｅとの間には、上記した実施形態と同様、摺動軸２０に突設されたピン部材２０ａに嵌る切欠き溝４３ｃが形成されており、操作部材４３の回動操作（引き上げ操作／押し下げ操作）は、直接、摺動軸２０に作用するようになっている。
【００４２】
また、前記した回動部材５１は、振り分けバネ５５によって、図１４に示す位置と図１６に示す位置との間で振り分け保持されるようになっており、その振り分け位置は、一方の片５２、及び他方の片５３が、それぞれリール本体２の規制面２ｅ，２ｆに当て付くことによって、その回動が規制され、振り分け保持される。
【００４３】
なお、振り分けバネ５５の付勢力は、付勢バネ２２の付勢力よりも大きく設定されている。また、上記した当て付け機構５０の回動部材５１と、摺動軸２０と共に移動するカム部材２５の外周面２５ｆに乗り上がる押し下げ面３７ｃとは、操作部材４３を一旦引き上げ操作して、指を離した際、カム部材２５の下面２５ｆが押し下げ面３７ｃに乗ったままで、後端面４３ｄが回動部材５１の一方の片５２に当て付くように設定されている（振り分けバネ５５の付勢力＞付勢バネ２２の付勢力のため、後端面４３ｄの一方の片５２に対する当て付け状態は維持される；クラッチＯＦＦ状態の維持）。
【００４４】
上記した構成のクローズドフェースリールの作用効果について説明する。  
図１４は、釣糸巻き取り可能状態であり、釣糸Ｓは、ピックアップピン３５のピン３５ｂに係止され、ロータ３０が回転駆動されることによって、スプール３に巻回される状態となっている。このとき、ピックアップピン３５の本体部３５ａの端面３５ｄは、一方向バネ４８による付勢力によってカム部材２５の外周面２５ｆから所定の間隔Ｚをおいて離間した状態にあり、ピン３５ｂは、ロータ３０の円周壁３０ａの表面から突出している（図１８（ａ）参照）。
【００４５】
この状態から、操作部材４３の操作部４３ａを引き上げて回動操作すると、操作部材４３は、付勢バネ４５の付勢力に抗して時計回り方向に回動され、摺動軸２０を付勢バネ２２の付勢力に抗してスプール側に移動させる。このとき、操作部材４３の係合部４３ｅが回動部材５１の他方の片５３に当接しながら回動部材５１を回動させ、一方の片５２を、釣糸放出状態を維持する位置へ回動させる（図１５参照）。また、これに伴い、カム部材２５も一体的に移動され、その表面２５ｃがプレートの傾斜舌片３７ｂと面接触するようになり、その傾斜関係により、プレート３７を下方に押し下げると共に、最終的に、カム部材２５の外周面２５ｆに傾斜舌片３７ｂの押し下げ面３７ｃが乗り上げる（図１５参照）。このとき、プレート３７は、一方向バネ４８の付勢力に抗して押し下げられた状態にあり、ロータ３０の円周壁３０ａから突出した状態にあるピン３５ｂは、ロータ３０の内部に沈み込む（図１５、図１８（ｂ）参照）。
【００４６】
なお、カム部材２５は釣糸挟持機能を備えていることから、釣糸Ｓは、カム部材の表面２５ｃとカバー部材４０の内面との間で挟持された状態で、釣糸挿通孔４０ａから導出される。
【００４７】
この状態で、釣竿をキャスティングしながら操作部材４３の操作部４３ａから指を離すと、釣糸の挟持状態が解消されて、仕掛けが放出される。このとき、摺動軸２０及び操作部材４３は、付勢バネ２２の付勢力によって、図１６に示す状態に移動されており、カム部材２５は、カム部材２５の外周面２５ｆに押し下げ面３７ｃが乗ったままで、操作部材４３の後端面４３ｄが回動部材５１の一方の片５２に当て付き、その状態が維持されている（釣糸放出状態が維持される）。
【００４８】
そして、この状態で、操作部材４３の操作部４３ａを押し下げ操作すると、摺動軸２０は、リール本体側に移動され、カム部材２５の外周面２５ｆは、押し下げ面３７ｃから外れる（図１７参照）。このとき、ピックアップピン３５は、プレート３７に固定された一方向バネ４８の付勢力により、プレート３７と共に押し上げられる（図１８（ａ）参照）。また、これと共に回動部材５１は、一方の片部５２に当て付いている操作部材４３の後端面４３ｄにより回動されて、図１４に示す釣糸巻き取り状態に振り分け保持される。
【００４９】
このように、ピックアップピン３５を振り分けバネではなく、一方向バネを利用することで、釣糸巻き取り操作時にピックアップピンをカム部材２５から離間保持するように構成することも可能であり、このような構成においても、上記した実施形態と同様な効果が得られる。
【００５０】
図１９〜図２４は、本発明の第４の実施形態を示す図である。上述した実施形態では、ロータを前後動させることなく、摺動軸の先端にカム部材を装着していたが、本実施形態のように、ロータ自体を摺動軸に装着して前後動させるような構成のクローズドフェースリールにも適用することが可能である。
【００５１】
図１９に示すように、リール本体２内には、釣糸が巻回されるスプール３が固定されており、このスプール３には、軸方向に貫通孔が形成されて、ここに、軸受１３及び一方向クラッチ１７を介して、釣糸巻き取り方向に回転可能な摺動軸２０が軸方向に移動可能に支持されている。この摺動軸２０の基端側には、ハンドルの回転操作と共に回転するフェースギヤ１１と噛合するようにピニオン１５ａが装着されており、また、摺動軸２０の基端部には、クラッチ付勢バネ２２が配設されて、摺動軸２０を、常時、後方側に向けて付勢している。
【００５２】
摺動軸２０の基端部には、支軸５９を介してリール本体から突出するように回動支持されたプッシュ式の操作部材６０が係合しており、操作部材６０を押圧操作することで、摺動軸２０を付勢バネ２２の付勢力に抗して前方側に摺動させるように構成されている。また、摺動軸２０の前方側には、制動装置６３を介在させてスプール側に開口する蓋状に形成されたロータ３０が回転可能に装着されており、摺動軸２０の回転と共に、ロータ３０が回転可能となっている。ロータ３０の前面には、釣糸放出操作時に、後述するカバー部材の内面との間で釣糸を挟持するようにリング状の挟着部材６５が取着されている。
【００５３】
前記ロータ３０の円周壁３０ａには、その表面から出没自在となるように、ピックアップピン３５が配設されている。  
本実施形態におけるピックアップピン３５は、ロータ内に位置する本体部３５ａと、円周壁３０ａに形成された孔３０ｄ内に位置し、釣糸をピックアップするピン３５ｂとによって構成されており、本体部３５ａには径方向に延出する長孔３５ｃが形成されている。そして、この長孔３５ｃには、ロータ３０の前面壁３０ｂに螺入される支持ネジ３６が配設されており、これにより、ピックアップピン３５は、径方向に移動可能となるようにロータ３０に支持されている。
【００５４】
また、本体部３５ａには、図２４に示すように、略半リング形状のスライドプレート６７が固定されている。このスライドプレート６７は、ロータ３０の前面壁３０ｂにスライド可能に装着されており、前記本体部３５ａに形成された長孔３５ｃと同方向に延出形成された長孔６７ａに、案内ピン６８を装着することで、長孔に沿ってスライド可能となっている。また、スライドプレート６７の両端（ピックアップピン３５が保持される位置から両側略９０°の位置）には、ロータの前面壁との間で振り分けバネ７０が取り付けられており、スライドプレート６７は、その振り分けバネ７０によって、摺動軸２０に対して直交する方向で２つの位置で振り分け保持されるようになっている。
【００５５】
この場合、振り分け保持される位置は、振り分けバネのデッドポイントを境にして、ピックアップピン３５の本体部３５ａの端面３５ｄが、前記スプール３の前面に一体形成されたカム部材３ａのカム面３ｂ及び円筒状の外周面３ｃから所定間隔Ｚをおいて離間する位置（図２４（ａ）参照）と、カム面３ｂと係合可能な位置（図２４（ｂ）参照）に設定される。
【００５６】
前記リール本体２の前方側には、スプール３及びロータ３０を覆うと共に、前方において釣糸Ｓを導出するための釣糸挿通孔８０ａが形成されたカバー部材８０が着脱可能に配設されている。このカバー部材８０には、その内面に、前記ロータ３０が前方に移動された際、ロータから突出するピン３５ｂに係合して、ピックアップピン３５を下方に押し下げる傾斜面８０ｂが形成されている。
【００５７】
上記したように構成されたクローズドフェースリールの作用効果について説明する。  
図１９及び図２０は、釣糸巻き取り可能状態であり、釣糸Ｓは、ピックアップピン３５のピン３５ｂに係止され、ロータ３０が回転駆動されることによって、スプール３に巻回される状態となっている。このとき、ピックアップピン３５の本体部３５ａは、振り分けバネ７０によるスライドプレート６７の振り分け保持によって、スプール３の前面に一体形成されたカム部材３ａのカム面３ｂ及び円筒状外周面３ｃから所定の間隔Ｚをおいて離間した状態にあり、ピン３５ｂは、ロータ３０の円周壁３０ａの表面から突出している（図２４（ａ）参照）。
【００５８】
この状態から、操作部材６０を押圧操作することで、摺動軸２０を付勢バネ２２の付勢力に抗してスプール側に移動させる。これに伴い、ロータ３０も一体的に移動され、ピン３５ｂは、カバー部材８０の内面に形成された傾斜面８０ｂにより押し下げられる（図２１参照）。この押し下げ作用によって、それと共に移動するスライドプレート６７は、振り分けバネ７０のデッドポイントを超え、ロータ３０の円周壁３０ａから突出した状態にあるピン３５ｂは、ロータ３０の内部に沈み込んだ状態に保持される（図２２及び図２４（ｂ）参照）。また、このとき、釣糸Ｓは、挟着部材６５とカバー部材８０の内面との間で挟持された状態で、釣糸挿通孔８０ａから導出される。
【００５９】
この状態で、釣竿をキャスティングしながら操作部材６０から指を離すと、釣糸の挟持状態が解消されて、仕掛けが放出される（図２３参照）。このとき、摺動軸２０は、付勢バネ２２の付勢力によって、リール本体側に移動され、ピックアップピンの本体部３５ａはスプール前面に形成されたカム部材３ａのカム面３ｂと係合可能な状態となっている。
【００６０】
そして、この状態で、ハンドルを巻き取り操作すると、ロータ３０は、図２４（ｂ）において時計回り方向に回転駆動されることから、ピン３５ｂは、本体部３５ａの下端とカム面３ｂのカム作用によって、スライドプレート６７と共に押し上げられる。そして、さらにカム作用によって押し上げられると、振り分けバネ７０のデッドポイントを超え（図２４（ｃ）参照）、ロータ３０の円周壁３０ａから突出して釣糸Ｓをピックアップできる状態に保持される。このとき、ピックアップピン３５の本体部３５ａの端面３５ｄは、振り分けバネ７０によるスライドプレート６７の振り分け保持によってカム部材３ａのカム面３ｂ及び円筒状外周面３ｃから所定の間隔Ｚをおいて離間した状態にある。そして、更にハンドルを巻き取り操作することで、釣糸は、ロータ３０のピン３５ｂに案内されながらスプール３に巻回されて行く。
【００６１】
上記したような構成においても、釣糸巻き取り操作時におけるロータ回転時において、ピックアップピン３５の本体部３５ａは、カム部材に摩擦接触しないで回転可能であるため、ハンドル巻き取り操作時に、ピックアップピン３５に摩擦抵抗が加わることがなくなり、ハンドルの軽快な巻き取り操作が行なえると共に、ピックアップピン３５が磨耗することがなくなる。
【００６２】
以上、本発明の実施形態について説明したが、本発明は、釣糸巻き取り操作時において、ピックアップピンがリール本体にある対向部材に接触することなく、離間状態に保持できれば、その保持方法や、ピックアップピンの移動方法については、上記した実施形態に限定されることはなく、種々変形することが可能である。
【図面の簡単な説明】
【００６３】
【図１】本発明に係るクローズドフェースリールの第１の実施形態を示す図であり、その内部構成を示す図。
【図２】図１に示すクローズドフェースリールの主要部を拡大して示す図。
【図３】図２のＡ−Ａ線に沿った断面図。
【図４】図３をＢ方向から見た図。
【図５】図３のＣ−Ｃ線に沿った断面図。
【図６】図３のＤ−Ｄ線に沿った断面図。
【図７】釣糸を放出する際に、釣糸を挟着した状態を示す図。
【図８】釣糸放出状態を示す図。
【図９】リール本体側からカム部材及びロータを見た図であり、（ａ）は釣糸巻取り状態を示す図、（ｂ）は釣糸放出状態（放出直前状態を含む）を示す図、（ｃ）はピックアップピンが復帰する状態を示す図。
【図１０】本発明に係るクローズドフェースリールの第２の実施形態を示す図であり、その内部構成を示す図。
【図１１】釣糸を放出する際に、釣糸を挟着した状態を示す図。
【図１２】釣糸放出状態を示す図。
【図１３】ピックアップピンが復帰する状態を示す図。
【図１４】本発明に係るクローズドフェースリールの第３の実施形態を示す図であり、その内部構成を示す図。
【図１５】釣糸を放出する際に、釣糸を挟着した状態を示す図。
【図１６】釣糸放出状態を示す図。
【図１７】ピックアップピンが復帰する状態を示す図。
【図１８】リール本体側からカム部材及びロータを見た図であり、（ａ）は釣糸巻取り状態を示す図、（ｂ）は釣糸放出状態（放出直前状態を含む）を示す図。
【図１９】本発明に係るクローズドフェースリールの第３の実施形態を示す図であり、その内部構成を示す図。
【図２０】図１９に示すクローズドフェースリールの主要部を拡大して示す図。
【図２１】釣糸を放出する際に、操作部材を操作してピックアップピンをロータ内に移動させる状態を示す図。
【図２２】釣糸を放出する際に、釣糸を挟着した状態を示す図。
【図２３】釣糸放出状態を示す図。
【図２４】リール本体側からカム部材及びロータを見た図であり、（ａ）は釣糸巻取り状態を示す図、（ｂ）は釣糸放出状態（放出直前状態を含む）を示す図、（ｃ）はピックアップピンが復帰する状態を示す図。
【符号の説明】
【００６４】
１  クローズドフェースリール
２  リール本体
３  スプール
２５  カム部材（復帰体）
３０  ロータ
３５  ピックアップピン
４３，６０  操作部材
【図１】
2005095088.tif 000003
【図２】
2005095088.tif 000004
【図３】
2005095088.tif 000005
【図４】
2005095088.tif 000006
【図５】
2005095088.tif 000007
【図６】
2005095088.tif 000008
【図７】
2005095088.tif 000009
【図８】
2005095088.tif 000010
【図９】
2005095088.tif 000011
【図１０】
2005095088.tif 000012
【図１１】
2005095088.tif 000013
【図１２】
2005095088.tif 000014
【図１３】
2005095088.tif 000015
【図１４】
2005095088.tif 000016
【図１５】
2005095088.tif 000017
【図１６】
2005095088.tif 000018
【図１７】
2005095088.tif 000019
【図１８】
2005095088.tif 000020
【図１９】
2005095088.tif 000021
【図２０】
2005095088.tif 000022
【図２１】
2005095088.tif 000023
【図２２】
2005095088.tif 000024
【図２３】
2005095088.tif 000025
【図２４】
2005095088.tif 000026